(57)【要約】 【課題】本発明は、シリンジベースの配線用スリット孔からの薬液の浸入や信号線のたわみ量の変化への対応構造の簡素化、信号線伸縮による断線回避等の実現を目的とする。【解決手段】本発明に成るシリンジポンプ装置は、プッシャー内部に、情報入力可能なＩＣタグが設けられると共に、シリンジベースに情報を検出するＩＣタグリーダーが設けられ、また、押し子とプッシャーとの間に、転動変移可能でその先端部が電波遮蔽部として機能する可動板が設けられ、ＩＣタグとＩＣタグリーダーとの通信状態を変化させることで、シリンジの押し子の装着状態を検出するように構成され、また、無線タグ機器から送信される電波の漏出により他の医療機器へ影響を及ぼす懸念の在る領域が、シリンジベース又は血液透析装置のパネルに表示されるように構成される。【選択図】        図１
2007167222.tif 000002
【特許請求の範囲】
【請求項１】
シリンジベースと、該シリンジベースに保持されるシリンジと、モータで駆動される送りねじと、該送りねじに係合して直線運動可能なプッシャーと、を有し、前記プッシャーでシリンジの押し子を押圧して液体を送出するように構成されているシリンジポンプ装置において、プッシャー内部に、情報入力可能なＩＣタグを備えると共に、シリンジベースに情報を検出するＩＣタグリーダーが設けられていること、を特徴とするシリンジポンプ装置。
【請求項２】
着脱自在のシリンジの押し子と直線移動自在のプッシャーとの間に、該プッシャーの移動方向に転動変移可能でその先端部が電波遮蔽として機能する可動板が設けられ、シリンジの押し子のプッシャーへの装着に連動する前記電波遮蔽部の移動が、ＩＣタグとＩＣタグリーダーとの通信状態を変化させることで、シリンジの押し子の装着状態を検出するように構成されていること、を特徴とする請求項１に記載のシリンジポンプ装置。
【請求項３】
無線タグ機器から送信される電波の漏出により他の医療機器へ影響を及ぼす懸念の在る領域が、シリンジベースに表示されていること、を特徴とする請求項１又は２に記載のシリンジポンプ装置。
【請求項４】
血液透析装置本体に一体保持されるシリンジベースと、該シリンジベースに保持されるシリンジと、モータで駆動される送りねじと、該送りねじに係合して直線運動可能なプッシャーと、有し、前記プッシャーでシリンジの押し子を押圧して液体を送出するように構成されているシリンジポンプ装置において、プッシャー内部に、情報入力可能なＩＣタグが設けられると共に、シリンジベースを一体保持する血液透析装置本体に情報を検出するＩＣタグリーダーが設けられていること、を特徴とする血液透析装置と一体を成すシリンジポンプ装置。
【請求項５】
着脱自在のシリンジの押し子と直線移動自在のプッシャーとの間に、該プッシャーの移動方向に転動変移可能でその先端部が電波遮蔽として機能する可動板が設けられ、シリンジの押し子のプッシャーへの装着に連動する前記電波遮蔽部の移動が、ＩＣタグとＩＣタグリーダーとの通信状態を変化させることで、シリンジの押し子の装着状態を検出するように構成されていること、を特徴とする請求項４に記載の血液透析装置と一体を成すシリンジポンプ装置。
【請求項６】
無線タグ機器から送信される電波の漏出により他の医療機器へ影響を及ぼす懸念の在る領域が、血液透析装置のパネルに表示されていること、を特徴とする請求項４又は５に記載の血液透析装置と一体を成すシリンジポンプ装置。
【発明の詳細な説明】
【技術分野】
【０００１】
本発明は、シリンジポンプ装置、特にシリンジの押し子がプッシャーに装着されているか否かを検知できるシリンジポンプ装置に関する。
【背景技術】
【０００２】
【特許文献１】特開平１０−１９２３９８号公報
【０００３】
図３は、従来の代表的なシリンジポンプ装置を示し、１０はシリンジベース、２０はシリンジベース１０上に載置されるシリンジで、シリンジベース１０に設けた溝１１と、シリンジ押え３０によりその外筒が保持される。また、２１は押し子、４０は押し子プッシャー（以下、単にプッシャーと称す）、４１は上記プッシャーに形成した鍔部、５０は上記プッシャー４０をその上面で摺動自在に保持し下面が開放された半円筒状パイプ、６４は上記シリンジベース１０に回転自在に支持された送りネジ、６５はこの送りねじ６４の下面に係合する送りナット、６６はこの送りナット６４と上記プッシャー４０の下端間を連結する連結具、６０は上記送りねじ６４をギヤ列６１〜６３を介して転回する駆動モータを示す。
【０００４】
このようなシリンジポンプ装置では、制御装置７０と組合わせて、駆動モータ６０を回転させると、出力軸に接続されたギヤ列を介して、送りネジ６４が転回され、この送りネジ６４に噛み合う送りナット６５を介して、パイプ５０をガイドにしてプッシャー４０がリニアに移動し、シリンジ２０の押し子２１を押し、薬液が注入される。
【０００５】
尚、制御装置７０には、動作設定や各種設定を行う入力部７１、入力部７１の設定情報や各種センサ（図示せず）の情報に基づき実際に適時制御を行う制御部７２、状態や設定状況を表示する表示部７３、及び、注意や警告を促す警報器７４等が含まれており、これらの詳細機能及びその有無や配置位置等は適宜選択される。
【０００６】
然し、特に血液透析装置に搭載される従来のシリンジポンプ装置では、シリンジの押し子２１がプッシャー４０の鍔部４１に正常に装着されていることを検出する手段を有していないものが主流であった。
【０００７】
この為、シリンジの押し子２１が正常に装着されていなくても、プッシャー４０で押し子２１を押すことが出来る為、薬液が注入されてしまう。また、この状態でシリンジ２０内に陰圧が加わると、押し子２１がプッシャー４０の鍔部４１に嵌着していないのでプッシャー４０とは関係無しに押し子２１がシリンジ２０内に吸い込まれてしまい、薬液が過剰に注入されてしまう。
【０００８】
また、シリンジの押し子２１がプッシャー４０の鍔部４１に正常に装着されていることを検出する手段を有しているシリンジポンプ装置でも、例えば、プッシャー４０内に、シリンジの押し子２１の装着状態によって信号状態が変化するようにマイクロスイッチやフォトインタラプタを付設し、これらの信号を、シリンジベース１０に設けたスリット孔や、別に設けた配線用の中空パイプを介してリード線（有線）で、シリンジベースの背面方向に設置された制御部７２と接続することで、押し子２１の装着状態を検出していた。
【発明の開示】
【発明が解決しようとする課題】
【０００９】
然しながら、上述のような従来技術に成るシリンジポンプ装置では、以下のような問題がある。
（１）シリンジベース１０に設けた配線用スリット孔から、薬液等が浸入して、障害が発生する危険性が高くなる。
【００１０】
（２）プッシャー４０の移動に伴い、信号線のたわみ量が変化するので、このたわみが稼動部に噛み込んだり、固定部に引っかからないような構造的な配慮が必要となり、メカ構造が複雑になる。
【００１１】
（３）信号線が繰返し伸縮することにより、断線等の問題が派生する。
【課題を解決するための手段】
【００１２】
本発明に成るシリンジポンプ装置は、シリンジベース又は血液透析装置本体に一体保持されるシリンジベースと、該シリンジベースに保持されるシリンジと、モータで駆動される送りねじと、該送りねじに係合して直線運動可能なプッシャーと、を有し、前記プッシャーでシリンジの押し子を押圧し液体を送出する構成に加えて、プッシャー内部に、情報入力可能なＩＣタグが設けられると共に、シリンジベースに情報を検出するＩＣタグリーダーが設けられ、また、
【００１３】
着脱自在のシリンジの押し子と直線移動自在のプッシャーとの間に、該プッシャーの移動方向に転動変移可能でその先端部が電波遮蔽として機能する可動板が設けられ、シリンジの押し子のプッシャーへの装着に連動して前記電波遮蔽部が移動し、ＩＣタグとＩＣタグリーダーとの通信状態を変化させることで、シリンジの押し子の装着状態を検出するように構成され、また、
【００１４】
無線タグ機器から送信される電波の漏出により他の医療機器へ影響を及ぼす懸念の在る領域が、シリンジベース又は血液透析装置のパネルに表示されるように構成されている。
【発明の効果】
【００１５】
本発明に成るシリンジポンプ装置は、上記のような構成であるから、信号線の断線や、スリット孔からの薬液等の浸入による弊害が無く、確実にシリンジの装着状態を検出して、安全な注入動作を可能にする。
【発明を実施するための最良の形態】
【００１６】
以下図面により本発明の実施例を説明する。
【実施例１】
【００１７】
図１〜図３は、第１の実施例で、制御装置７０と組合わせて、駆動モータ６０を回転すると、出力軸に接続されたギヤ列、送りネジ６４、送りナット６５の経路で動力が伝達され、パイプ５０をガイドにしてプッシャー４０がリニアに移動する構造は、前述した従来のシリンジポンプ装置と同様であるが、図１のように、シリンジの押し子２１の装着を検出する手段として、プッシャー４０内にアンテナと集積回路（ＩＣ）とを接続した回路を有したＩＣタグ７６と、該ＩＣタグ７６との間で無線通信を行うＩＣタグリーダー７５をシリンジベース１０に取付けることにより、シリンジベース１０の配線用スリット孔や配線用の中空パイプ、及びリード線を設けない点が、本発明構成の特徴である。（以後、これらＩＣタグ７６及び、ＩＣタグリーダー７６を纏めて、単に「ＩＣタグ機器」、双方の間で行われる通信を単に「ＩＣタグ機器間の通信」と称す。）
【００１８】
また、制御装置７０においては、前述のＩＣタグリーダー７５の信号を、制御部７２と接続している点が、従来品と異なる。尚、単独で動作が可能なシリンジポンプ装置では、ＩＣタグリーダー７５を含む制御装置７０の全てをシリンジポンプ装置に配置する必要があるが、血液装置に搭載されるシリンジポンプ装置では、これらの配置場所は特に限定されず、血液透析装置本体に、ＩＣタグリーダー７５を含む制御装置７０の全て、もしくはその一部を分散して配置することも可能である。以上が本発明に成るシリンジポンプ装置の構造概要である。
【００１９】
次に、この構造を利用して、実際にシリンジの押し子装着の検出をどのように行うか、本発明品のプッシャーの内部構造概要を示した図１を用いて説明する。
【００２０】
４５は可動板で、一端に鉄板で形成された遮蔽部４６と、もう一端に取付け穴４７を有している。可動板４５は、取付け穴４７を介して、プッシャー４０に固定されているピン４８を中心に、転動可能に取付けられると共に、その一部が、ボタン４３及び、バネ４４の一部と当接するように配置されており、ボタン４３の位置の変化に連動して、遮蔽部４６が移動する構造となっている。
【００２１】
今、シリンジの押し子２１が、装着されていな図１（B）の状態では、遮蔽部４６がＩＣタグ７６に近接して、電波が遮蔽される為、ＩＣタグ機器間の通信は不能となる。また、この状態から、図１（Ａ）のように押し子２１が鍔部４１に挿入されると、ボタン４３が押され、遮蔽部６５がＩＣタグ７６近傍から離れるように移動する為、ＩＣタグ機器間の通信が可能となる。
【００２２】
一方、制御手段７２は、定期的にＩＣタグリーダー７５に対して所定周波数の電波を送信する指令を出し、この送信電波の応答としてＩＣタグ７６から予め記憶した情報の電波を、受信出来るか否かの判定を行うことで、押し子２１の装着状態を検出する。
【００２３】
本発明の構成に成る制御部７２は、注入動作の開始時に、押し子２１の未装着状態が検出された場合には、警報器７４と表示器７３に警告（指令）を出すと共に、モータを動作させない安全機能を備えている。また、注入動作中に押し子２１の未装着状態が検出された場合には、警報器７４と表示器７３に警告（指令）を出すと共に、一定時間経過しても注入動作停止が行われない場合は、モータを自動停止する安全機能を備えている。本発明に成るシリンジポンプ装置は、このようにして押し子の装着状態を検出するように構成されている。
【００２４】
次に、本発明における、ＩＣタグ機器の採用に伴う他の医療装置への電波の影響を配慮した構成について、図１及び図２を用いて説明する。
【００２５】
本発明では、図１のように、外部から容易に確認が出来るように、シリンジベース１０のＩＣタグリーダー７５の近傍位置に目印１２をつけ、使用者に対し例えば「この目印を中心に半径２２ｃｍの範囲内に他の医療機器を近づけると、電波障害を受けることが懸念されます。」との注意喚起文書を記載したシール１３をシリンジベース１０に貼付すると共に、２２ｃｍの直線ライン１４をシリンジベース１０に付加表示している。
【００２６】
この注意喚起に関して、例えば図２のように、透析装置本体にＩＣタグリーダー７５を搭載した場合では、同様の注意喚起文書を記載したシール８２を血液透析装置本体の前面パネル８０に貼付すると共に、更に直感的に電波の影響範囲が分かるようにＩＣタグリーダー７５の取付け位置近傍を中心とした円形ライン８１を付加表示しても善い。
【００２７】
尚、上述電波の影響範囲２２ｃｍの特定は、総務省の現時点での指針値を用いたものであり、特にこの数値に限定されるものではない。また、その注意喚起の表現や表示方法についても特に限定されない。
【産業上の利用可能性】
【００２８】
本発明に成るシリンジポンプ装置は、シリンジの押し子の装着状態の検出を無線で行うシリンジポンプ装置として、特に有効である。
【図面の簡単な説明】
【００２９】
【図１】本発明に成るシリンジポンプ装置の一実施例で、（Ａ）は押し子装着状態の断面図、（Ｂ）は押し子未装着状態の断面図である。
【図２】本発明に成るシリンジポンプ装置が搭載される血液透析装置の前面パネルの例を示す図である。
【図３】本発明に係るシリンジポンプ装置の駆動構造を説明する概念図である。
【符号の説明】
【００３０】
１０  シリンジベース
１１  溝部
１２  目印
１３  シール
１４  ライン
２０  シリンジ
２１  シリンジの押し子
３０  シリンジ押え
４０  プッシャー
４１  鍔部
４３  ボタン
４４  スプリング
４５  可動板
４６  遮蔽部
４７  取付け穴
４８  ピン
５０  パイプ
６０  駆動モータ
６１  ピニオン
６２  アイドルギヤ
６３  Ｍギヤ
６４  送りねじ
６５  送りナット
６６  連結具
７０  制御装置
７１  入力部
７２  制御部
７３  表示器
７４  警報器
７５  ＩＣタグリーダー
７６  ＩＣタグ
８０  血液透析装置パネル（前面）
８１  注意喚起ライン
８２  シール
【図１】
2007167222.tif 000003
【図２】
2007167222.tif 000004
【図３】
2007167222.tif 000005